【手続補正書】
【提出日】平成15年6月23日(2003.6.23)
【手続補正１】
【補正対象書類名】明細書
【補正対象項目名】特許請求の範囲
【補正方法】変更
【補正の内容】
【特許請求の範囲】
【請求項１】
複数のダイ孔が形成されたダイと、
前記ダイ孔に進入しながら被穿孔部材に孔をあける複数のパンチと、
前記パンチの進入方向に対して交差する方向にカム部が形成されていて、前記パンチの進入方向に対して交差する方向に移動して前記カム部の変換作用により前記パンチを前記ダイ孔に進入させる作動部材と、
前記作動部材の移動方向を切り換える事により複数のパンチを選択して進入させる駆動手段と、
を備えることを特徴とする孔あけ装置。
【請求項２】
前記カム部は直線状溝と変換作用をするカム溝を備え、前記作動部材がいずれかの方向に移動して前記カム溝が作用したパンチを選択して進入させることを特徴とする請求項１に記載の孔あけ装置。
【請求項３】
前記カム部の１つは、中央に２つのカム溝を備え、その両端に直線状溝を備え、２つのパンチを制御することを特徴とする請求項２に記載の孔あけ装置。
【請求項４】
前記カム部の１つは、中央に１つのカム溝を備え、その両側に直線状溝を備え、２つのパンチを制御することを特徴とする請求項２に記載の孔あけ装置。
【請求項５】
前記カム部の１つは、端に１つのカム溝を備え、その端に直線状溝を備え、１つのパンチを制御することを特徴とする請求項２に記載の孔あけ装置。
【請求項６】
前記カム部の１つは、中央に２つのカム溝を備え、その両端に直線状溝を備え、２つのパンチを制御し、また前記カム部の他の１つは、中央に１つのカム溝を備え、その両端に直線状溝を備え、２つのパンチを制御し、更に前記カム部の残りの１つは、端に１つのカム溝を備え、その端に直線状溝を備え、１つのパンチを制御することにより、２本のパンチと３本のパンチを選択して進入させることができることを特徴とする請求項２に記載の孔あけ装置。
【請求項７】
前記作動部材のカム部は、第１の停止領域、第１の穿孔領域、第２の穿孔領域、第２の停止領域、第３の穿孔領域、第４の穿孔領域、および第３の停止領域の順に区切られ、
前記作動部材の位置検知手段の検知動作に基づいて、前記駆動手段を制御する作動制御手段により、
前記作動部材は、前記第１の停止領域と、前記第２の停止領域とを移動可能で、前記第１の停止領域から前記第２の停止領域に移動するとき前記第１の穿孔領域において前記パンチを前記ダイ孔に進入させる穿孔動作をし、かつ前記第２の停止領域から前記第１の停止領域に移動するとき前記第２の穿孔領域において前記パンチを前記ダイ孔に進入させる穿孔動作をすることを特徴とする請求項１に記載の孔あけ装置。
【請求項８】
前記作動制御手段は、前記作動部材が前記第１の停止領域または前記第１の穿孔領域にいるとき前記作動部材を前記第２の停止領域に移動させ、かつ前記作動部材が前記第２の停止領域または前記第２の穿孔領域にいるとき前記作動部材を前記第１の停止領域に移動させる初期化動作を行うことを特徴とする請求項７に記載の孔あけ装置。
【請求項９】
前記作動部材のカム部は、第１の穿孔領域、第２の穿孔領域、第２の停止領域、第３の穿孔領域、第４の穿孔領域、および第３の停止領域の順に区切られ、
前記作動部材の位置検知手段の検知動作に基づいて、前記駆動手段を制御する作動制御手段により、
前記作動部材は、前記第１の停止領域から前記第２の停止領域に移動するとき前記第１の穿孔領域において前記パンチを前記ダイ孔に進入させる穿孔動作をするときと、前記第２の停止領域から前記第１の停止領域に移動するとき前記第２の穿孔領域において前記パンチを前記ダイ孔に進入させる穿孔動作をするときにおいて前記被穿孔部材に第１の孔数の孔をあけ、前記第２の停止領域から前記第３の停止領域に移動するとき前記第３の穿孔領域において前記パンチを前記ダイ孔に進入させる穿孔動作をするときと、前記第３の停止領域から前記第２の停止領域に移動するとき前記第４の穿孔領域において前記パンチを前記ダイ孔に進入させる穿孔動作をするときにおいて前記被穿孔部材に第２の孔数の孔をあけることを特徴とする請求項１に記載の孔あけ装置。
【請求項１０】
前記位置検知手段の検知動作に基づいて、前記作動制御手段は、前記作動部材が前記第１の停止領域または前記第１の穿孔領域にいるとき前記作動部材を前記第２の停止領域に移動させ、前記作動部材が前記第２の停止領域または前記第２の穿孔領域にいるとき前記作動部材を前記第１の停止領域に移動させ、前記作動部材が前記第２の停止領域または前記第３の穿孔領域にいるとき前記作動部材を前記第３の停止領域に移動させ、前記作動部材が前記第３の停止領域または前記第４の穿孔領域にいるとき前記作動部材を前記第２の停止領域に移動させる初期化動作を行うことを特徴とする請求項９に記載の孔あけ装置。
【請求項１１】
前記作動部材の移動速度は、前記穿孔動作のときよりも前記初期化動作のときの方が遅いことを特徴とする請求項１０に記載の孔あけ装置。
【請求項１２】
前記作動制御手段は、前記作動部材を作動させて所定時間経過しても前記位置検知手段が前記作動部材の移動を検知しないとき、前記駆動手段の作動を停止させることを特徴とする請求項１０に記載の孔あけ装置。
【請求項１３】
前記所定時間は、前記穿孔動作のときよりも前記初期化動作のときの方が長いことを特徴とする請求項１２に記載の孔あけ装置。
【請求項１４】
前記シートに孔をあける請求項１ないし１３の内、いずれか１項に記載の孔あけ装置を備えたことを特徴とするシート処理装置。
【請求項１５】
シートに画像を形成する画像形成手段と、
前記シートに孔をあける請求項１ないし１３の内、いずれか１項に記載の孔あけ装置と、
を備えたことを特徴とする画像形成装置。
【手続補正２】
【補正対象書類名】明細書
【補正対象項目名】０００８
【補正方法】変更
【補正の内容】
【０００８】
【課題を解決するための手段】
上記目的を達成するための、本発明の孔あけ装置は、複数のダイ孔が形成されたダイと、前記ダイ孔に進入しながら被穿孔部材に孔をあける複数のパンチと、前記パンチの進入方向に対して交差する方向にカム部が形成されていて、前記パンチの進入方向に対して交差する方向に移動して前記カム部の変換作用により前記パンチを前記ダイ孔に進入させる作動部材と、前記作動部材の移動方向を切り換える事により複数のパンチを選択して進入させる駆動手段と、を備えている。本発明の孔あけ装置における前記カム部は直線状溝と変換作用をするカム溝を備え、前記作動部材がいずれかの方向に移動して前記カム溝が作用したパンチを選択して進入させるようになっている。
本発明の孔あけ装置における前記カム部の１つは、中央に２つのカム溝を備え、その両端に直線状溝を備え、２つのパンチを制御するようになっている。
本発明の孔あけ装置における前記カム部の１つは、中央に１つのカム溝を備え、その両側に直線状溝を備え、２つのパンチを制御するようになっている。
本発明の孔あけ装置における前記カム部の１つは、端に１つのカム溝を備え、その端に直線状溝を備え、１つのパンチを制御するようになっている。
本発明の孔あけ装置における前記カム部の１つは、中央に２つのカム溝を備え、その両端に直線状溝を備え、２つのパンチを制御し、また前記カム部の他の１つは、中央に１つのカム溝を備え、その両端に直線状溝を備え、２つのパンチを制御し、更に前記カム部の残りの１つは、端に１つのカム溝を備え、その端に直線状溝を備え、１つのパンチを制御することにより、２本のパンチと３本のパンチを選択して進入させることができる。
本発明の孔あけ装置における前記作動部材のカム部は、第１の停止領域、第１の穿孔領域、第２の穿孔領域、第２の停止領域、第３の穿孔領域、第４の穿孔領域、および第３の停止領域の順に区切られ、前記作動部材の位置検知手段の検知動作に基づいて、前記駆動手段を制御する作動制御手段により、前記作動部材は、前記第１の停止領域と、前記第２の停止領域とを移動可能で、前記第１の停止領域から前記第２の停止領域に移動するとき前記第１の穿孔領域において前記パンチを前記ダイ孔に進入させる穿孔動作をし、かつ前記第２の停止領域から前記第１の停止領域に移動するとき前記第２の穿孔領域において前記パンチを前記ダイ孔に進入させる穿孔動作をするようになっている。
【手続補正３】
【補正対象書類名】明細書
【補正対象項目名】００１０
【補正方法】変更
【補正の内容】
【００１０】
本発明の孔あけ装置における前記作動部材のカム部は、第１の穿孔領域、第２の穿孔領域、第２の停止領域、第３の穿孔領域、第４の穿孔領域、および第３の停止領域の順に区切られ、前記作動部材の位置検知手段の検知動作に基づいて、前記駆動手段を制御する作動制御手段により、前記作動部材は、前記第１の停止領域から前記第２の停止領域に移動するとき前記第１の穿孔領域において前記パンチを前記ダイ孔に進入させる穿孔動作をするときと、前記第２の停止領域から前記第１の停止領域に移動するとき前記第２の穿孔領域において前記パンチを前記ダイ孔に進入させる穿孔動作をするときにおいて前記被穿孔部材に第１の孔数の孔をあけ、前記第２の停止領域から前記第３の停止領域に移動するとき前記第３の穿孔領域において前記パンチを前記ダイ孔に進入させる穿孔動作をするときと、前記第３の停止領域から前記第２の停止領域に移動するとき前記第４の穿孔領域において前記パンチを前記ダイ孔に進入させる穿孔動作をするときにおいて前記被穿孔部材に第２の孔数の孔をあけるようになっている。


【手続補正４】
【補正対象書類名】明細書
【補正対象項目名】００１２
【補正方法】変更
【補正の内容】
【００１２】
本発明の孔あけ装置における前記作動部材の移動速度は、前記穿孔動作のときよりも前記初期化動作のときの方が遅くなっている。


【手続補正５】
【補正対象書類名】明細書
【補正対象項目名】００１５
【補正方法】変更
【補正の内容】
【００１５】
上記目的を達成するため、本発明のシート処理装置は、前記シートに孔をあける上記いずれか１つに記載の孔あけ装置を備えている。


【手続補正６】
【補正対象書類名】明細書
【補正対象項目名】００１７
【補正方法】削除
【補正の内容】